(57)【要約】【課題】フィルタの目詰まり等の確認やフィルタ交換などを容易に行えるようにする。【解決手段】ハウジング(２)の外面にガス入口(４)とガス出口(６)を開口し、ハウジング(２)内に、このガス入口(４)とガス出口(６)とを連通するガス取出路(11)を形成する。このガス取出路(11)は、入口路(７)と閉止弁室(９)と出口路(10)とを順に備える。この出口路(10)に筒状の装着部材(26)を着脱可能に装着し、この装着部材(26)に、ガス中に含まれる異物を除去するためのフィルタ(25)を保持させる。【選択図】  図１
2005201404.tif 000002
【特許請求の範囲】
【請求項１】
ハウジング(２)内に、ガス容器(12)の内部空間に連通する入口路(７)と閉止弁室(９)と出口路(10)とを順に備えるガス取出路(11)を形成したガス容器用バルブ装置であって、
上記のガス容器(12)からの取出ガス中に含まれる異物を除去するためのフィルタ(25)を、上記の出口路(10)に着脱可能に配置したことを特徴とする、ガス容器用バルブ装置。
【請求項２】
上記の出口路(10)に残圧保持用の逆止弁(20)を配置し、この逆止弁(20)と上記の閉止弁室(９)との間の出口路(10)に上記のフィルタ(25)を配置した、請求項１に記載のガス容器用バルブ装置。
【請求項３】
筒状の装着部材(26)を上記の出口路(10)へ着脱可能に装着して、この装着部材(26)に上記のフィルタ(25)を保持した、請求項１または請求項２に記載のガス容器用バルブ装置。
【請求項４】
上記の装着部材(26)が残圧保持用の逆止弁(20)である、請求項３に記載のガス容器用バルブ装置。
【発明の詳細な説明】
【技術分野】
【０００１】
本発明は、ガス取出路にフィルタを配置したバルブ装置に関し、更に詳しくはフィルタの目詰まり等の確認やフィルタ交換などを容易に行うことができる、ガス容器用バルブ装置に関する。
【背景技術】
【０００２】
一般に、ガス容器に付設されるバルブ装置にあっては、ハウジングの下部に形成した脚ネジ部の下端面にガス入口を形成するとともに、ハウジングの側面にガス出口を形成し、このガス入口とガス出口との間に、入口路と閉止弁室と出口路とを順に備えるガス取出路を形成して、このガス取出路の入口路を上記のガス入口を介してガス容器の内部空間に連通してある。
【０００３】
上記の脚ネジ部をガス容器の取付部に螺着固定する際には、シールテープの端くずや、粉末状或いは繊維状の金属などが発生して、これらが異物としてガス容器内に落下する場合がある。ガス容器内から貯蔵ガスを取り出して消費する際にこれらの異物が取出ガスに混入していると、例えば、圧力調整器のシール機能が低下して適正に調圧できなくなったり、バルブ装置から急激なガス流出を生じた場合に、サージ圧による温度上昇を生じて上記の金属粉などが燃焼する等、下流側のガス消費機器に不具合を生じる惧れがある。
【０００４】
そこで、従来のバルブ装置にあっては、取出ガスに混入する異物を除去するため、ガス容器の内部空間に臨むガス入口やその近傍の入口路にフィルタを装着したものがある(例えば、特許文献１参照。)。
【０００５】
しかしながら、上記の従来技術ではバルブ装置の閉止弁とガス容器との間にフィルタが装着してあることから、このフィルタの目詰まり状態や汚損状態を確認したりフィルタを交換したりする際には、バルブ装置をガス容器から取り外す必要があり、このためにはガス容器内を空にする必要もあった。従って、上記のフィルタのメンテナンスは極めて面倒な作業となり、容易に実施できない問題があった。しかも、上記の確認作業や交換作業ののちにバルブ装置をガス容器に取り付ける必要があることから、その際に上記の異物が発生してガス容器内に落下する場合があるので、フィルタが目詰まりし易くなり、早期に交換しなければならなくなる問題があった。
【０００６】
【特許文献１】特開２００２−１１５７９８号公報
【発明の開示】
【発明が解決しようとする課題】
【０００７】
本発明は上記の問題点を解消し、フィルタの目詰まり等の確認やフィルタ交換などを容易に行うことができる、ガス容器用バルブ装置を提供することを技術的課題とする。
【課題を解決するための手段】
【０００８】
本発明は上記の課題を解決するため、例えば本発明の実施の形態を示す図１から図３に基づいて説明すると、ガス容器用バルブ装置を次のように構成したものである。
即ち、ハウジング(２)内に、ガス容器(12)の内部空間に連通する入口路(７)と閉止弁室(９)と出口路(10)とを順に備えるガス取出路(11)を形成したガス容器用バルブ装置であって、上記のガス容器(12)からの取出ガス中に含まれる異物を除去するためのフィルタ(25)を、上記の出口路(10)に着脱可能に配置したことを特徴とする。
【０００９】
上記の取出ガス中に含まれる異物を除去するためのフィルタは、ガス取出路のうち閉止弁室よりも下流側に位置する出口路に配置してあるので、このフィルタをメンテナンスする際には、バルブ装置をガス容器に付設したまま閉止弁を閉じるだけでフィルタをバルブ装置から簡単に取り外すことができる。そして、目詰まり状態などの確認や清浄化、フィルタ交換などがなされたのち、異常のないフィルタや新品のフィルタが出口路の所定位置に配置される。
【００１０】
上記のフィルタは、目詰まり状態などの確認や交換を容易にするため、ガス出口の近傍に設けることが好ましいが、この出口路に残圧保持用の逆止弁を配置した場合には、この逆止弁と上記の閉止弁室との間の出口路にこのフィルタを配置すると、逆止弁には異物を除去したのちの取出ガスを流通させることができるので、より好ましい。
【００１１】
上記のフィルタを出口路に配置する場合、止め輪などの固定手段でフィルタを出口路に固定することも可能であるが、固定手段の位置や固定方法によっては、フィルタに加わる取出ガスの圧力が過剰に高くなると、この固定手段からフィルタが脱離する惧れがある。そこで、筒状の装着部材を上記の出口路へ着脱可能に装着して、この装着部材に上記のフィルタを保持させると、この装着部材でフィルタを確実に保持できるので好ましい。
【００１２】
上記のバルブ装置が出口路に残圧保持用の逆止弁を備える場合には、この逆止弁で上記の装着部材を構成すると、フィルタを保持するための装着部材を新たに必要とせず、バルブ装置全体の構成を簡略にできるので、より好ましい。
【発明の効果】
【００１３】
本発明は上記のように構成され作用することから、次の効果を奏する。
【００１４】
(１)  フィルタの目詰まり状態や汚損状態を確認したり、フィルタを交換したりするメンテナンス作業は、バルブ装置をガス容器に付設したまま閉止弁を閉じるだけで行うことができるので、ガス容器を空にする必要やバルブ装置をガス容器から取り外したりメンテナンス後にガス容器へ付設したりする必要がなく、極めて容易に実施することができる。
【００１５】
(２)  メンテナンス後にバルブ装置をガス容器へ付設する必要がないことから、フィルタのメンテナンス処理ごとに異物を生じてガス容器内に落下させることがなく、フィルタの目詰まりを抑制してフィルタ交換までの期間を長くすることができる。
【発明を実施するための最良の形態】
【００１６】
以下、本発明の実施の形態を図面に基づき説明する。
図１及び図２は本発明のガス容器用バルブ装置の第１実施形態を示し、図１はガス容器用バルブ装置の断面図、図２は出口路に配置したフィルタ周辺の拡大断面図である。
【００１７】
図１に示すように、このバルブ装置(１)は、ハウジング(２)の下部に脚ネジ部(３)を形成してあり、この脚ネジ部(３)の下端面にガス入口(４)を開口してある。上記のハウジング(２)の側面にはガス取出ノズル(５)を突設してあり、この取出ノズル(５)の端面にガス出口(６)を開口してある。上記のハウジング(２)内には、上記のガス入口(４)とガス出口(６)との間に、入口路(７)と閉止弁(８)の閉止弁室(９)と出口路(10)とを順に備えるガス取出路(11)を形成してある。
【００１８】
上記の脚ネジ部(３)はガス容器(12)の首部(13)に螺着固定され、これにより上記のガス入口(４)がガス容器(12)の内部空間(14)に臨み、このガス入口(４)を介して上記の入口路(７)がガス容器(12)の内部空間(14)に連通する。
上記の入口路(７)の中間部にはガス逃し路(15)が分岐してあり、このガス逃し路(15)に安全弁(16)が配置してある。
上記の閉止弁室(９)には閉止部材(17)が挿入してあり、上記のハウジング(２)の上面に付設した操作ハンドル(18)に連動連結してある。この操作ハンドル(18)を操作することにより、上記の閉止部材(17)が閉止弁室(９)に形成された閉止弁座(19)に対し進退移動してこの閉止弁(８)が開閉される。
【００１９】
上記の出口路(10)には、残圧保持用の逆止弁(20)を配置してあり、この逆止弁(20)の逆止弁室(21)に挿入した逆止部材(22)を逆止バネ(23)で閉弁方向に付勢してある。上記の逆止部材(22)は、出口路(10)のガス圧が設定圧力よりも高いと逆止バネ(23)の付勢力に抗して開弁移動し、取出ガスがガス出口(６)から取り出される。一方、出口路(10)のガス圧が設定圧力よりも低くなると、この取出ガス圧に抗して上記の逆止バネ(23)の付勢力で閉弁移動するようにしてある。従って、この逆止弁(20)が作動することにより、前記のガス容器(12)内のガス圧力が設定圧力以下になると貯蔵ガスの取出しが停止され、大気などがガス取出路(11)を介してガス容器(12)内に浸入することが防止される。
【００２０】
図２に示すように、上記の逆止弁(20)の筒状本体(24)には、内側端部の近傍にフィルタ(25)が保持してある。即ち、この逆止弁(20)は上記のフィルタ(25)の装着部材(26)を構成しており、この装着部材(26)である逆止弁(20)を上記の出口路(10)に着脱可能に装着することで、このフィルタ(25)が出口路(10)に固定配置される。取出ガスはこのフィルタ(25)を通過することで、取出ガス中に含まれる異物が除去される。従って、上記の逆止弁(20)や、取出ノズル(５)に接続される圧力調整器やガス消費機器(図示せず)などが上記の異物により作動不良を生じることが防止される。
【００２１】
上記のガス容器(12)から貯蔵ガスを取り出す際に、異物が取出ガス中に混入しているとこの異物が上記のフィルタ(25)に捕捉されて除去される。ガスの取出しが進んで上記のフィルタ(25)に異物が蓄積され目詰まりを生じると、これが抵抗となって取出ガスの圧力が低下する等の問題を生じる。そこで、上記のフィルタ(25)は、例えば定期的に汚損度や目詰まりを確認したりフィルタを交換する等のメンテナンスが行われる。
【００２２】
上記のフィルタメンテナンスは、次の手順でなされる。
最初に上記の操作ハンドル(18)を操作して閉止弁(８)を閉じ、取出ノズル(５)に接続されているガス消費機器を取り外す。次に、上記の残圧保持用の逆止弁(20)をガス出口(６)から抜き出し、この逆止弁(20)の筒状本体(24)に保持されている上記のフィルタ(25)を目視などにより調べて汚損度や目詰まりの状態を確認する。フィルタ(25)の浄化や交換が必要な場合は、このフィルタ(25)を筒状本体(24)から取り外し、清浄にされたフィルタ(25)や新品のフィルタ(25)を上記の筒状本体(24)に装着したのち、この逆止弁(20)を上記のガス出口(６)から挿入して出口路(10)に保密状に装着する。
その後、上記の取出ノズル(５)にガス消費機器を接続し、上記の操作ハンドル(18)を操作して閉止弁(８)を開き、ガス容器(12)内の貯蔵ガスを取り出して使用する。
【００２３】
図３は本発明のガス容器用バルブ装置の第２実施形態を示す、出口路に配置したフィルタ周辺の拡大断面図である。
この第２実施形態では、上記の第１実施形態と異なって、出口路(10)に残圧保持用の逆止弁を備えておらず、フィルタ(25)は筒状の装着部材(26)に保持してある。
即ち、上記の筒状の装着部材(26)は、ハウジング(２)のガス取出ノズル(５)に形成されたガス出口(６)から挿入され、ガス取出路(11)の出口路(10)内に着脱可能に且つ保密状に装着してあり、この装着部材(26)の内側端部にフィルタ(25)が保持してある。なお、このフィルタ(25)は中央部を下流側へ突出してあり、取出ガスが透過する面積を広く形成してある。
【００２４】
上記のフィルタ(25)をメンテナンスする際には、前記の第１実施形態と同様、上記の装着部材(26)をガス出口(６)から抜き出し、フィルタ(25)の汚損度や目詰まりの状態を確認し、必要に応じてフィルタ交換などしたのち、このフィルタ(25)を保持した上記の装着部材(26)をガス出口(６)から挿入して出口路(10)に保密状に装着する。その他の構成は上記の第１実施形態と同様であり、同様にメンテナンス処理されるので説明を省略する。
【００２５】
上記の各実施形態ではフィルタを装着部材に保持した場合について説明したが、本発明では他の固定手段でフィルタを出口路に固定してもよい。また、上記の実施形態では装着部材をガス出口から挿抜したが、この装着部材の外側端部をハウジングの外面よりも外側へ突出させて、この装着部材の外側端部に上記のガス出口を形成してもよい。
なお、上記の実施形態では、便宜上、脚ネジ部をハウジングの下部に配置した場合について説明したが、本発明ではバルブ装置やガス容器の姿勢はこの実施形態のものに限定されず、また、閉止弁や開閉操作手段、安全弁などの形状や構成は、上記の実施形態のものに限定されないことはいうまでもない。
【産業上の利用可能性】
【００２６】
本発明のバルブ装置は、フィルタの目詰まり確認やフィルタ交換などのメンテナンスを容易に行うことができるので、ガス容器用バルブ装置として用いることができ、特に残圧保持用の逆止弁を備えたバルブ装置に好適である。
【図面の簡単な説明】
【００２７】
【図１】本発明の第１実施形態を示す、ガス容器用バルブ装置の断面図である。
【図２】バルブ装置の出口路に配置したフィルタ周辺の拡大断面図である。
【図３】本発明の第２実施形態を示す、図２相当図である。
【符号の説明】
【００２８】
１…バルブ装置
２…ハウジング
７…入口路
９…閉止弁室
10…出口路
11…ガス取出路
12…ガス容器
20…逆止弁
25…フィルタ
26…装着部材
【図１】
2005201404.tif 000003
【図２】
2005201404.tif 000004
【図３】
2005201404.tif 000005